(57)【要約】【課題】蓋を載せてもバランスを崩しにくい蓋置を提供すること。【解決手段】茶道において、釜の蓋又は柄杓の合をのせる蓋置１であって、畳、大板、長板又は棚の板に接触する蓋置１の底部近傍に重量体３が取り付けられている。この蓋置１によれば、蓋置１の底部近傍に重量体が取り付けられているので、蓋置１自体の重心が畳、大板、長板又は棚の板に近くなり、蓋を載せてもバランスを崩しにくい。濡れた蓋がこの蓋置１の上に置かれた場合、蓋と蓋置１との間に存在する水の表面張力によって、蓋に軽量な蓋置１がくっついてしまうことあるが、蓋置１自体の重さで蓋と蓋置１とが分離しやすくなっている。【選択図】  図２
0003196927.tif 000002
【実用新案登録請求の範囲】
【請求項１】
茶道において、釜の蓋又は柄杓の合をのせる蓋置であって、
畳、大板、長板又は棚の板に接触する前記蓋置の底部近傍に重量体が取り付けられていることを特徴とする蓋置。
【請求項２】
前記蓋置は、全表面が漆工されていることを特徴とする請求項１に記載の蓋置。
【請求項３】
釜の蓋又は柄杓の合が接触する前記蓋置の面は、凹凸が形成されていることを特徴とする請求項１又は２に記載の蓋置。
【請求項４】
畳面、大板、長板又は棚の板に接触する前記蓋置の面は、凹凸が形成されていることを特徴とする請求項１乃至３のいずれかに記載の蓋置。
【請求項５】
前記蓋置の本体は、木材又は竹の筒体からなり、この筒体の内壁の前記蓋置の底部近傍に窪みが形成されており、
前記重量体はリング状となっており、筒体の内壁と面一となるように前記窪みに嵌め込まれていることを特徴とする請求項１乃至４のいずれかに記載の蓋置。
【考案の詳細な説明】
【技術分野】
【０００１】
本考案は、茶道の道具である蓋置に関する。
【背景技術】
【０００２】
茶道の点前において、釜の蓋又は柄杓の合をのせる蓋置を使用する。
【０００３】
蓋置は、金属、陶磁器、木、竹などからなる。蓋置の形態は、多種多様である。
【先行技術文献】
【非特許文献】
【０００４】
【非特許文献１】“蓋置”、[online]、[平成27年1月25日検索]、インターネット〈URL：http://www.h4.dion.ne.jp/~i-kids/12newhutaoki.htm〉
【考案の概要】
【考案が解決しようとする課題】
【０００５】
蓋置の中でも木、竹などからなる蓋置は、蓋置自体が軽量である。蓋置の上に置く釜の蓋は金属からなり、蓋置よりも重くかつ大きい。そのため、蓋置の上に蓋を置いた場合、バランスが崩れ、蓋とともに蓋置が倒れる場合があるという問題がある。蓋置の機能のみに着目すれば、蓋よりも大きくすることも可能ではあるが、使用者の好みに合致しない場合もある。
【０００６】
上記点より本考案は、蓋を載せてもバランスを崩しにくい蓋置を提供することを目的とする。
【課題を解決するための手段】
【０００７】
上記課題を解決するため、請求項１の蓋置は、茶道において、釜の蓋又は柄杓の合をのせる蓋置であって、畳、大板、長板又は棚の板に接触する前記蓋置の底部近傍に重量体が取り付けられている。
【０００８】
請求項１の蓋置によれば、蓋置の底部近傍に重量体が取り付けられているので、蓋置自体の重心が畳、大板、長板又は棚の板に近くなり、蓋を載せてもバランスを崩しにくい。
【０００９】
また、蓋置と接触する蓋は湯気で濡れている。濡れた蓋が蓋置の上に置かれた場合、蓋と蓋置との間に存在する水の表面張力によって、蓋に軽量な蓋置がくっついてしまうことがある。しかし、請求項１の蓋置によれば、蓋置の底部近傍に重量体が取り付けられているので、蓋置自体の重さで蓋と蓋置とが分離しやすくなっている。
【００１０】
請求項２の蓋置は、請求項１の蓋置において、前記蓋置は、全表面が漆工されている。
【００１１】
請求項２の蓋置によれば、請求項１の蓋置と同様に作用する上に、蓋置は、全表面が漆工されていることによって、蓋置の美観を向上させるとともに、蓋や柄杓の合に付いた水に対して耐水性を有する。
【００１２】
請求項３の蓋置は、請求項１又は請求項２の蓋置において、釜の蓋又は柄杓の合が接触する前記蓋置の面は、凹凸が形成されている。
【００１３】
請求項３の蓋置によれば、請求項１又は請求項２の蓋置と同様に作用する上に、釜の蓋又は柄杓の合が接触する前記蓋置の面の凹凸によって、蓋置に置いた釜の蓋又は柄杓の合が滑ることを防止できる。
【００１４】
釜の蓋又は柄杓の合が接触する前記蓋置の面が平滑であると、濡れた蓋が蓋置の上に置かれた場合、蓋と蓋置との間に存在する水の表面張力が大きくなり、蓋に蓋置がくっついて離れにくくなってしまうことがある。しかし、請求項３の蓋置によれば、この凹凸によって、表面張力が大きくなることを抑制できる。
【００１５】
請求項４の蓋置は、請求項１乃至請求項３のいずれかの蓋置において、畳面、大板、長板又は棚の天板に接触する前記蓋置の面は、凹凸が形成されている。
【００１６】
請求項４の蓋置によれば、請求項１乃至請求項３のいずれか蓋置と同様に作用する上に、畳面、大板、長板又は棚の板に接触する前記蓋置の面の凹凸によって、畳面、大板、長板又は棚の板に対して蓋置が滑ることを防止できる。
【００１７】
請求項５の蓋置は、請求項１乃至請求項４のいずれかの蓋置において、前記蓋置の本体は、木材又は竹の筒体からなり、この筒体の内壁の前記蓋置の底部近傍に窪みが形成されており、前記重量体はリング状となっており、筒体の内壁と面一となるように前記窪みに嵌め込まれている。
【００１８】
請求項５の蓋置によれば、請求項１乃至請求項４のいずれか蓋置と同様に作用する上に、重量体が目立たずに蓋置の本体に取り付けることができるので、蓋置の美観を損なうことがない。
【考案の効果】
【００１９】
請求項１から５のいずれかの考案によれば、蓋を載せてもバランスを崩しにくいという効果を実現することができる。
【図面の簡単な説明】
【００２０】
【図１】本考案の一実施形態の蓋置の斜視図である。
【図２】蓋置の縦断面を示す概略図である。
【考案を実施するための形態】
【００２１】
本考案の一実施形態である蓋置１について、以下説明する。
【００２２】
蓋置１は、図１に示すように、円筒状となっている。蓋置１の全表面は漆工されている。
【００２３】
蓋置１は、図２に示すように、円筒体の本体２と、畳、大板、長板又は棚の板に接触する蓋置１の底部近傍取り付けられる重量体３とからなる。
【００２４】
本体２は、木材又は竹を加工したものである。本体２において、筒体の内壁の蓋置１の底部近傍には窪み２１が形成されている。この窪み２１に重量体３が嵌め込まれている。
【００２５】
重量体３は金属からなる。重量体３はリング状となっている。重量体３が本体２の窪み２１に嵌め込まれた状態では、筒体の内壁と面一となっている。
【００２６】
本体２の窪み２１に重量体３が嵌め込まれ、本体２と重量体３が一体となったものの全表面が漆工された場合、本体２と重量体３が一体となったものの表面に漆層４形成される。
【００２７】
蓋置１の釜の蓋又は柄杓の合が接触する蓋置１の面１１は、凹凸が形成されている。この凹凸は、漆工の際に乾漆粉５を蒔き固めることで形成される。
【００２８】
畳面、大板、長板又は棚の板に接触する蓋置１の面１２は、凹凸が形成されている。この凹凸は、漆工の際に乾漆粉５を蒔き固めることで形成される。
【００２９】
上記実施形態では、蓋置１が円筒状となっている場合について説明したが、これに限定されることなく、蓋置が例えば、角筒状などの他の形状であってもよい。
上記実施形態では、蓋置１の全表面は漆工されている場合について説明したが、これに限定されることなく、素材の風合いを生かすため表面が漆工されていなくてもよいし、蓋置の一部表面が漆工されていてもよい。
【００３０】
上記実施形態では、本体２が木材又は竹を加工したものである場合について説明したが、これに限定されることなく、例えば、金属、樹脂、陶磁又は磁器等であってもよい。
【００３１】
上記実施形態では、重量体３が金属からなる場合について説明したが、これに限定されることなく、重量体３が例えば、金属以外の適切な質量を有する材料からなっていてもよい。
【００３２】
上記実施形態では、重量体３が１個のリング状である場合について説明したが、これに限定されることなく、例えば重量体が複数個あり、所定間隔で蓋置の底部近傍に取り付けられていてもよい。
【００３３】
上記実施形態では、図２の位置に重量体が本体に嵌め込まれる場合について説明したが、これに限定されることなく、重量体が蓋置の底部近傍の他の場所に形成された本体の窪みに嵌め込まれてもよい。
【００３４】
上記実施形態では、蓋置１の面１１及び面１２の凹凸が乾漆粉５を蒔き固めることで形成される場合について説明したが、これに限定されることなく、他の方法で蓋置１の面１１及び面１２の凹凸を形成してもよい。
【符号の説明】
【００３５】
１    蓋置
２    本体
３    重量体
４    漆層
５    乾漆粉
１１  釜の蓋又は柄杓の合が接触する面
１２  畳面、大板、長板又は棚の板に接触する面
２１  窪み
【図１】
0003196927.tif 000003
【図２】
0003196927.tif 000004